(57)【要約】【課題】  正面以外に複数の操作スイッチを備える据置型映像表示装置において、表示される映像に影響を与えることなく、操作スイッチの操作性を改善すること。【解決手段】  正面に映像表示手段１１を有する据置型映像表示装置１は、正面以外の面に、操作スイッチ２１と、所定の文字や記号の形状に応じた透光部と遮光部とからなる光透過部材２３とを備え、内部に光源２２を備えている。透光部と遮光部は、複数の操作スイッチが配設されている位置に対応付けて配設されている。光源２２から発せられる光を光透過部材２３へ照射することで、所定の文字や記号が据置型映像表示装置の正面側から視認できる投影面上に投影される。【選択図】図５
2012124135.tif 000002
【特許請求の範囲】
【請求項１】
正面が開口した筐体と、
筐体の開口した部分に備えられた映像表示手段と、
筐体の正面以外のいずれかの面に備えられ、ユーザーによる操作を検知するための複数の操作検知手段と、
筐体の正面以外のいずれかの面に備えられ、前記複数の操作検知手段のそれぞれに割り付けられた機能を表す文字、および／または記号の形状に応じた透光部と遮光部とからなる光透過部材と、
筐体の内部に備えられた光源と、
を有する据置型映像表示装置であって、
前記透光部と遮光部は、複数の操作検知手段が配設されている位置関係と対応付けられて配設されており、前記光源から発せられる光を、前記光透過部材へ照射することによって、前記文字および／または記号を、正面側からユーザーが視認可能な投影面上に、前記複数の操作検知手段と同数の投影像として投影することを特徴とする据置型映像表示装置。
【請求項２】
前記投影面は、ユーザーの掌、もしくは、指であることを特徴とする請求項１記載の据置型映像表示装置。
【請求項３】
前記操作検知手段は、プッシュスイッチであることを特徴とする請求項１および請求項２記載の据置型映像表示装置。
【請求項４】
前記光源は、ＬＥＤであることを特徴とする、請求項１乃至請求項３記載の据置型映像表示装置。
【請求項５】
正面が開口した筐体と、
筐体の開口した部分に備えられた映像表示手段と、
を有する据置型映像表示装置の筐体に組み付けられる操作スイッチユニットであって、
筐体の正面以外のいずれかの面に位置付けられる面に備えられ、ユーザーによる操作を検知するための、複数の操作検知手段と、
筐体の正面以外のいずれかの面に位置付けられる面に備えられ、前記複数の操作検知手段のそれぞれに割り付けられた機能を表す文字および／または記号の形状に応じた透光部と遮光部とからなる光透過部材と、
内部に備えられた光源と、
を有し、
前記透光部と遮光部は、複数の操作検知手段が配設されている位置関係と対応付けられて配設されており、前記光源から発せられる光を、前記光透過部材へ照射することによって、前記文字および／または記号を、当該操作スイッチユニットが組み付けられた据置型映像表示装置の正面側からユーザーが視認可能な投影面上に、前記複数の操作検知手段と同数の投影像として投影することを特徴とする操作スイッチユニット。
【発明の詳細な説明】
【技術分野】
【０００１】  本発明は、据置型映像表示装置に備えられる、電源オン／オフ操作、あるいは、入力信号切り替え操作などを行うための操作スイッチに関するものである。
【背景技術】
【０００２】  近年、映像表示手段として、液晶パネル、あるいは、プラズマパネルを用いた据置型テレビジョン受像機の普及が急速に拡大している。このような据置型テレビジョン受像機に代表される据置型映像表示装置においては、市場要求の一つとして、映像表示手段に映し出される映像を際立たせ、かつ、筐体外形の小型化を図るべく、映像表示手段周囲のフレーム部をできるだけ細くすることが求められる。【０００３】  その一方で、据置型映像表示装置には、電池の消耗などに起因して、遠隔操作用リモコンが使用できなくなった場合を想定して、電源オン／オフ操作、あるいは、入力信号切り替え操作などを行うための操作スイッチを備えることが求められる。ユーザーが、これらの操作スイッチを良好に操作できるようにするためには、操作スイッチが据置型映像表示装置の正面に配設され、ユーザーが操作スイッチの機能を示す文字、あるいは記号を、据置型映像表示装置の正面側から視認した上で、所望する操作ができるようにすることが理想的である。【０００４】  しかしながら、前述のようにフレーム部を細くした場合、これらの操作スイッチを据置型映像表示装置の正面に配設するだけの十分なスペースを確保することが困難となるため、正面以外の面に操作スイッチを設ける必要に迫られることとなる。このような場合、ユーザーは、所望する操作に対応する操作スイッチの文字、あるいは、記号の表示を、操作スイッチが配設されている面の方向から視認した上で、その操作スイッチを操作することとなる。このような操作は、正面に操作スイッチが設けられている場合と比較して、より多くの身体の移動をユーザーに強いるものであり、その操作性は著しく低い。【０００５】  据置型映像表示装置の正面以外の面に操作スイッチを配設した場合の操作性の低下を改善するための手段の一つとして、オン・スクリーン・ディスプレイ（ＯＳＤ）の技術を応用することが考えられる。例えば、特許文献１には、図６に示すように、上面に複数の表示調整キー１３２を有する表示装置１において、それぞれの表示調整キー１３２の位置を指し示すように、表示調整メニュー１２１を、表示部１２上にオン・スクリーン・ディスプレイで表示する技術が開示されている。このような表示装置１のユーザーが表示調整キー１３２を操作する場合、ユーザーは、表示部１２に表示される表示調整メニュー１２１を正面側から視認することで、表示装置１の上面方向から表示調整キー１３２を視認することなく、所望する表示調整キー１３２を操作することができると考えられる。
【先行技術文献】
【特許文献】
【０００６】
【特許文献１】特開２００３−７６３５０号公報
【発明の概要】
【発明が解決しようとする課題】
【０００７】  しかしながら、表示手段上にオン・スクリーン・ディスプレイで各表示調整キーの機能を表示させる場合、その表示は、元々、表示していた映像の上に重畳して表示されるため、この表示が行われている間は、表示されている映像の一部が隠れてしまうという不都合を来たす。とりわけ、オン・スクリーン・ディスプレイによる表示の視認性を向上させるべく、表示を大きくした場合に、その影響が顕著となる。【０００８】  本発明は、このような課題を解決するためになされたものであり、映像表示手段周囲のフレーム部を細くするべく、操作スイッチを正面以外の面に配設した場合であっても、映像表示手段に表示される映像へ影響を与えることなく、良好な操作性を得られる操作スイッチを備えた据置型映像表示装置を、安価に提供することを目的とする。
【課題を解決するための手段】
【０００９】  前述の課題を解決し、目的を達成するため、本発明による請求項１記載の据置型映像表示装置は、正面が開口した筐体と、筐体の開口した部分に備えられた映像表示手段と、筐体の正面以外のいずれかの面に備えられ、ユーザーによる操作を検知するための複数の操作検知手段と、筐体の正面以外のいずれかの面に備えられ、前記複数の操作検知手段のそれぞれに割り付けられた機能を表す文字および／または記号の形状に応じた透光部と遮光部とからなる光透過部材と、筐体の内部に備えられた光源とを有し、前記透光部と遮光部は、複数の操作検知手段が配設されている位置関係と対応付けられて配設されており、前記光源から発せられる光を、前記光透過部材へ照射することによって、前記文字および／または記号を、正面側からユーザーが視認可能な投影面上に、前記複数の操作検知手段と同数の投影像として投影することを特徴とする。【００１０】  本発明による請求項２記載の据置型映像表示装置は、投影面が、ユーザーの掌、もしくは、指であることを特徴とする。【００１１】  本発明による請求項３記載の据置型映像表示装置は、前記操作検知手段が、プッシュスイッチであることを特徴とする。【００１２】  本発明による請求項４記載の据置型映像表示装置は、前記光源が、ＬＥＤ（発光ダイオード）であることを特徴とする。【００１３】  本発明による請求項５記載の操作スイッチユニットは、正面が開口した筐体と、筐体の開口した部分に備えられた映像表示手段とを有する据置型映像表示装置の筐体に組み付けられるものであり、筐体の正面以外のいずれかの面に位置付けられる面に備えられ、ユーザーによる操作を検知するための複数の操作検知手段と、筐体の正面以外のいずれかの面に位置付けられる面に備えられ、前記複数の操作検知手段のそれぞれに割り付けられた機能を表す文字および／または記号の形状に応じた透光部と遮光部とからなる光透過部材と、内部に備えられた光源とを有し、前記透光部と遮光部は、複数の操作検知手段が配設されている位置関係と対応付けられて配設されており、前記光源から発せられる光を、前記光透過部材へ照射することによって、前記文字および／または記号を、正面側からユーザーが視認可能な投影面上に、前記複数の操作検知手段と同数の投影像として投影することを特徴とする。
【発明の効果】
【００１４】  本発明によれば、据置型映像表示装置の正面以外の面に操作スイッチを配設した場合であっても、ユーザーは、所定の投影面、好ましくはユーザーの掌や指の上に投影される文字や記号の位置に基づいて、正面側からでも操作スイッチの位置を知ることができ、ユーザー自身の指先を、所望する一つの操作スイッチへと導くことが可能となる。これにより、ユーザーは、操作の都度、操作スイッチそのものを視認する必要がなくなるため、操作を行う際のユーザーの身体の移動量が抑えられ、操作スイッチが正面に設けられている場合と同等な操作性を得ることができる。この際、映像表示手段に表示される映像には、一切、影響を与えることがない。【００１５】  また、本発明によれば、ＬＥＤに代表される光源と、光透過部材とからなる簡素な構成で文字や記号を投影するため、安価に実現が可能である。
【図面の簡単な説明】
【００１６】
【図１】本発明の一実施の形態に係る据置型テレビジョン受像機を示す図であり、（ａ）は正面図、（ｂ）は右側面図、（ｃ）は背面図である。
【図２】本発明の一実施の形態に係る据置型テレビジョン受像機に組み込まれる操作スイッチユニットの外観を示す図であり、据置型テレビジョン受像機の右側面方向より見た図である。
【図３】本発明の一実施の形態に係る据置型テレビジョン受像機に組み込まれる操作スイッチユニットの要部断面図である。
【図４】本発明の一実施の形態に係る据置型テレビジョン受像機の操作スイッチユニットに対して、ユーザーが操作を行っている状態を示す図であり、（ａ）は正面側から見た図、（ｂ）は背面側から見た図である。
【図５】本発明の一実施の形態に係る据置型テレビジョン受像機の操作スイッチユニットに対して、ユーザーが操作を行っている状態における要部断面図である。
【図６】従来の据置型テレビジョン受像機の例を示す図である。
【発明を実施するための形態】
【００１７】  以下、本発明の一実施の形態に係る据置型映像表示装置である据置型テレビジョン受像機（いわゆる薄型テレビ）について、図１乃至図５を用いて説明する。
【００１８】  図１に示す据置型テレビジョン受像機１は、正面に開口部を有する筐体１２を有しており、その開口部には、映像表示手段としての液晶パネル１１が備えられている。液晶パネル１１は、筐体１２によって保持されている。筐体１２の正面側において、液晶パネル１１周囲のフレーム部１２１の幅は、液晶パネル１１に映し出される映像を際立たせ、かつ、筐体１２の外形を小型化するために、極めて細いものとなっている。
【００１９】  図１（ｂ）、図１（ｃ）に示されるように、この据置型テレビジョン受像機１には、筐体１２の右側面から背面に至る形状の操作スイッチユニット２が組み付けられている。複数の操作スイッチをユニット化して筐体１２に組み付ける構造は、据置型テレビジョン受像機１の組み立てを容易化できるなどの理由から、一般的に採用されている。操作スイッチユニット２は、筐体１２の内部で据置型テレビジョン受像機１に内蔵されている制御回路（図示しない）と電気的に接続されており、操作スイッチユニット２に配設されている操作スイッチを操作することで、据置型テレビジョン受像機１を操作することができる。また、操作スイッチユニット２は、筐体１２内部で据置型テレビジョン受像機１に内蔵されている電源供給回路（図示しない）とも電気的に接続されており、電源の供給を受けることができる。
【００２０】  図２は、操作スイッチユニット２の外観を示している。この操作スイッチユニット２には、据置型テレビジョン受像機１の背面に位置付けられる面上に、操作検知手段としての８つのプッシュスイッチ２１が所定の間隔で配設されている。これら８つのプッシュスイッチ２１に割り当てられている機能は、上から順に、電源オン／オフ、チャンネル送り、チャンネル戻し、音量アップ、音量ダウン、入力切り替え、メニュー表示であり、テレビジョン放送を視聴するために必要となる操作機能が網羅されている。
【００２１】  操作スイッチユニット２には、据置型テレビジョン受像機１の右側面に位置付けられる面上に、前述の８つのプッシュスイッチ２１と同じ間隔で円形の光透過部材が配設されている。光透過部材には、筐体１２の外側から見て表裏逆の状態で、それぞれの機能を示す記号、あるいは文字が形成されている。これらの記号、あるいは文字の部分のみが光を透過する透光部２３１（図２において、抜き文字で示される部分）であり、それ以外は光を透過しない遮光部２３２（図２において、黒色で示される円形範囲部分）である。この光透過部材は、無色透明な板状樹脂基材の表面に、遮光性のインクを抜き文字印刷することで形成されている。尚、光透過部材の実現方法はこれに限定されず、透明な基材と、記号あるいは文字をエッチングにて形成した金属薄板とを貼り合わせるなど、種々の公知な技術で実現可能である。
【００２２】  この操作スイッチユニット２において、プッシュスイッチ２１を背面側に、光透過部材２３を右側面側に、それぞれ配設したのは、後述する投影像３１を視認しながらプッシュスイッチ２１の操作を行うことを、より容易なものとするためである。
【００２３】  図３は、プッシュスイッチ２１、および光透過部材２３が設けられている箇所における操作スイッチユニット２の断面を、据置型テレビジョン受像機１の平面側から見た図である。光透過部材２３の奥には、光源としてのＬＥＤ２２が配設されており、その光軸が、光透過部材２３の面に対して直交する方向となるように固定されている。ＬＥＤ２２の発光色は、視認性の高い投影像３１を得るべく、赤色としている。ＬＥＤ２２は、前述の電源供給回路から供給される電源によって点灯する。ＬＥＤ２２が点灯すると、据置型テレビジョン受像機１の右側面から適当な距離を隔てた投影面３上に、光透過部材２３に形成されている記号、あるいは文字が、判読可能な状態で投影像３１として映し出される。尚、ＬＥＤ２２について、その発光色は任意の色であってよいが、より明るい投影像３１を得るために、高輝度タイプのものを使用することが望ましい。
【００２４】  図４、および図５は、ユーザーがプッシュスイッチ２１を操作している状態を、ユーザーの手指と共に示している。ユーザーがプッシュスイッチ２１へ向けて手を伸ばし、プッシュスイッチ２１の上に指先が至った状態になると、図４（ａ）に示されるように、ユーザーの掌が投影面３となり、前述の投影像３１が、ユーザーの掌の上に映し出される。図４（ａ）では、掌の上にチャンネル送りを意味する“ＣＨ↑”、および、チャンネル戻しを意味する“ＣＨ↓”の投影像が映し出されている状態を例示している。
【００２５】  この際、ユーザーが、掌を、据置型テレビジョン受像機１の背面側から正面側へかけて、外側へ向けて傾斜した状態となるように位置付けることによって、投影像３１は正面側からでも視認可能な状態となる。映し出される複数の投影像３１の配置は、背面側に配設されている複数のプッシュスイッチ２１の配置と対応しているため、ユーザーは、この投影像３１を位置的な目安にして、所望する操作に対応するプッシュスイッチ２１の上へ指先を動かし、そのプッシュスイッチ２１を押下することで、所望する操作を行うことができる。この一連の操作において、ユーザーは、手だけを据置型テレビジョン受像機１の右側面乃至背面へ伸ばしている状態であり、頭部を右側面方向へ移動する必要がないため、操作性が極めて良好である。
【００２６】  以上の実施の形態では、操作検知手段としてプッシュスイッチを用いた例を示したが、操作検知手段はプッシュスイッチに限定されず、例えば、タッチパネルや近接スイッチを応用したものであってもよい。
【００２７】  また、以上の実施の形態では、光源のＬＥＤ２２と、光透過部材２３と、投影面３とが一直線上に配置されている例を示したが、光源となるＬＥＤ２２を、光透過部材２３と想定される投影面３とを結ぶ直線上から外れた位置に配設して、そのＬＥＤ２２からの光を、例えば無色透明なアクリル材などで形成された導光部材を用いて導光することによって、実質的な光源位置を必要な位置へ移動させて構成してもよい。
【００２８】  尚、据置型映像表示装置の設置方法は、実施の形態に例示されているスタンド設置に限定されず、壁掛け、吊り下げなどの固定方法で設置されたものであってもよい。
【産業上の利用可能性】
【００２９】  本発明は、据置型テレビジョン受像機に代表される据置型映像表示装置の全般に対して好適に応用することができ、操作性の改善に有用である。
【符号の説明】
【００３０】１  据置型テレビジョン受像機（据置型映像表示装置）
１１  液晶パネル（映像表示手段）
１２  筐体
１２１  フレーム部
２  操作スイッチユニット
２１  プッシュスイッチ（操作検知手段）
２２  ＬＥＤ（光源）
２３  光透過部材
２３１  透光部
２３２  遮光部
３  投影面
３１  投影像
【図１】
2012124135.tif 000003
【図２】
2012124135.tif 000004
【図３】
2012124135.tif 000005
【図４】
2012124135.tif 000006
【図５】
2012124135.tif 000007
【図６】
2012124135.tif 000008